(57)【要約】      （修正有）【課題】レイアウトの自由度が向上し、軽量で、工具を使わずに組立及び分解が可能な組立型簡易パーティションを提供する。【解決手段】外形及び開口部が、少なくとも三つ以上の直線や曲線あるいはそれらが組合わさった辺から構成される形状、もしくは直線あるいは曲線と円弧の辺から構成される形状で、外周の補強枠も含めて表面を化粧加工した多層ダンボール製プレートからなる。二つ以上のダンボール製プレートが連結できる断面がコ字状の構造を有し、そのプレート連結面にクッション材の貼り付けや突き出し加工による突起を設けて、相互のプレートを、より安定した状態に連結保持する連結金具を含む。【選択図】図３７
0003161504.tif 000002
【実用新案登録請求の範囲】
【請求項１】
積み重ねて多層にしたダンボール表面に化粧加工を施し、さらに、その外周に同様の化粧ダンボールで製作した補強枠をはめ込んで、一体化したダンボール製プレートであって、その形状は、長方形や正方形の矩形状あるいは直角や二等辺の三角形状、またＣ字形状、Ｌ字形状など、少なくとも三つ以上の、直線もしくは曲線あるいはそれらが組合わされた辺を有する形状とする。さらに、これらのプレートには前述の三つ以上の辺を有した開口部、または真円や楕円あるいはそれら円形の一部を切り出した形状の開口部を設けても構わない。
【請求項２】
請求項１のプレートを様々なレイアウトで連結するための金具であって、その素材はいずれも金属性の薄板とし、折り曲げや溶接加工、あるいはネジによる締結などで一体に形成されて製造され、少なくとも二つ以上のプレートが挟み込める構造を有している。さらに、プレートの補強枠に接触する一箇所以上の面には、ゴムやウレタンなどのクッション材を貼り付けて、あるいは突き出し加工などで突起を設けて使用することにより、相互のプレートをより安定した連結状態に保持することが可能となる。
【請求項３】
請求項１のダンボール製プレートは、請求項２の連結金具で、その外周を挟み込むことで連結する連結方法を特徴とする。
【請求項４】
請求項１のダンボール製プレートと請求項２の連結金具を、自由に組合せて組立てられたパーティション。
【考案の詳細な説明】
【技術分野】
【０００１】本考案は、組立型パーティションの組立性及び分解性さらには収納性の簡便化と組立レイアウトの自由度を向上するための、ダンボール製プレートとそれを連結する金具に関する。
【背景技術】
【０００２】従来の組立型パーティションは、パーティションを構成するプレート及びそれらを連結する部品の柔軟性や融通性に欠けるという欠点があり、通常規定されたレイアウトでのみしか組立てることができなかった。
また、その組立てには多くの場合に、複数の人員及び何らかの工具が必要であり、分解して収納するとなれば、かなりのスペースを必要とすることが一般的であった。
このようなことから従来の組立型パーティションでは、災害発生時の避難場所において、最低限のプライバシー保護のための間仕切りや目隠しとして使用することや病院あるいは公共施設での、授乳やオムツ交換などが行える簡易スペース確保のために使用することは容易ではなかった。
【先行技術文献】
【特許文献】
【０００３】
【特許文献１】特許公開２００７−１３８５３８（図１）
【特許文献２】特許公表２０００−５１５９４０（図２７）
【特許文献３】特許公表２０００−５０８３９５（図１）
【非特許文献】
【０００４】
【非特許文献１】実用新案公開平０７−０４０８２７
【非特許文献２】「アスクル  パーティションＷｅｂショップ  Ｅ−Ｐｌａｃｅパネル」
【非特許文献３】「カウネット  ６号家具カタログ  ３１０ページ」
【考案の概要】
【考案が解決しようとする課題】
【０００５】従来の組立型パーティションは、パーティションを構成するプレート及びそれらを連結する部品の柔軟性や融通性に欠けるという欠点があり、通常規定されたレイアウトでのみしか組立てることができなかった。
また、その組立てには多くの場合に、複数の人員及び何らかの工具が必要であり、分解して収納するとなれば、かなりのスペースを必要とすることが一般的であった。
このようなことから従来の組立型パーティションでは、災害発生時の避難場所において、最低限のプライバシー保護のための間仕切りや目隠しとして使用することや病院あるいは公共施設での、授乳やオムツ交換などが行える簡易スペース確保のために使用することは容易ではなかった。
【問題を解決するための手段】
【０００６】まず、積み重ねて多層にしたダンボール表面に化粧加工を施し、さらに、その外周に同様の化粧ダンボールで製作した補強枠をはめ込んで、一体化したプレートを製造する。
この一体化されたプレートは、長方形や正方形の矩形状あるいは直角や二等辺の三角形状、またＣ字形状、Ｌ字形状など、少なくとも三つ以上の、直線もしくは曲線、あるいはそれらが組合わされた辺を有する形状から構成される。さらに、これらのプレートには前述の三つ以上の辺を有した開口部、または真円や楕円あるいはそれら円形の一部を切り出した形状の開口部を設けることもできる。
つぎに、これらのプレートを連結するため、プレートの連結方法さらには連結する目的から１０種類の金具を設定し、いずれも薄板の折り曲げや溶接加工、あるいはネジによる締結などによって一体に形成して製造する。
これらの連結金具は、少なくとも二つ以上のプレートが挟み込める構造を有しており、ここにプレートの補強枠を挟み込むことでプレート同士を連結する。さらに、プレートの補強枠に接触する連結金具の一箇所以上の面には、ゴムやウレタンなどからなるクッション材を貼り付けて、あるいは突き出し加工などによって突起を設けて使用することにより、相互のプレートをより安定した連結状態に保持することが可能となる。
これらのプレート及び連結金具の自由な組合せにより、組立レイアウトの自由度は向上し、さらに必要なプレートや連結金具を追加することによって、組立レイアウトは無限に広がることとなる。
【考案の効果】
【０００７】本考案による組立型簡易パーティションは、ダンボール製のプレートと薄板を素材とした連結金具からなる構成である。そのため、その重量は従来の一般的なパーテイションに比べて非常に軽く、女性一人でも容易に運搬することができる。また、連結金具でプレートの補強枠を挟み込むという連結方法から一切工具を必要とせずに組立及び分解が可能となる。
また、ダンボール製のプレートは、最大でもその幅が６０ｃｍ以下と非常にコンパクトであり、分解後の収納及び保管も従来のパーティションに比べて省スペースで済む。
また、簡易な組立及び分解方法であるため、災害発生時の避難場所において、各被災者自身の手で組立てて最低限のプライバシー確保のための間仕切りに活用したり、病院及び公共施設において、授乳あるいはオムツ交換などの簡易スペース確保のために組立てて活用することができる。
さらに、それらのパーティションが不要となれば、連結金具をプレートから抜き取るだけで分解が完了する。
また、本考案の組立型簡易パーティションは、老朽化した際の廃却時には、ダンボール製プレートは可燃ごみとして、また薄板を素材とした連結金具は不燃ごみとしてごみ収集に出すことができる。さらに、このときダンボール製プレートを小さく裁断すれば、各自治体が指定する可燃物用のごみ袋に入れることも可能である。
【図面の簡単な説明】
【０００８】
【図１】プレート１（長方形プレート）
【０００９】
【図２】プレート２（開口部を設けた長方形プレート）
【００１０】
【図３】プレート３（正方形プレート）
【００１１】
【図４】プレート４（開口部を設けた正方形プレート）
【００１２】
【図５】プレート５（Ｃ字形プレート）
【００１３】
【図６】プレート６（Ｌ字形プレート）
【００１４】
【図７】プレート７（二等辺三角形プレート）
【００１５】
【図８】プレート８（開口部を設けた二等辺三角形プレート）
【００１６】
【図９】プレート９（直角三角形プレート）
【００１７】
【図１０】プレート１０（開口部を設けた直角三角形プレート）
【００１８】
【図１１】プレート１１（一辺が曲線のプレート）
【００１９】
【図１２】プレート１２（開口部を設けた一辺が曲線のプレート）
【００２０】
【図１３】連結金具１
【００２１】
【図１４】連結金具２
【００２２】
【図１５】連結金具３
【００２３】
【図１６】連結金具４
【００２４】
【図１７】連結金具５
【００２５】
【図１８】連結金具６
【００２６】
【図１９】連結金具７
【００２７】
【図２０】連結金具８
【００２８】
【図２１】連結金具９
【００２９】
【図２２】連結金具１０
【００３０】
【図２３】連結性向上型金具１（連結金具１にクッション材を貼り付けた場合の一例）
【００３１】
【図２４】連結性向上型金具２（連結金具１に突起を設けた場合の一例）
【００３２】
【図２５】プレート連結例１（連結金具１を使用）
【００３３】
【図２６】プレート連結例２（連結金具２を使用）
【００３４】
【図２７】プレート連結例３（連結金具３を使用）
【００３５】
【図２８】プレート連結例４（連結金具４を使用）
【００３６】
【図２９】プレート連結例５（連結金具５を使用）
【００３７】
【図３０】プレート連結例６（連結金具６を使用）
【００３８】
【図３１】プレート連結例７（連結金具７を使用）
【００３９】
【図３２】プレート連結例８（連結金具８を使用）
【００４０】
【図３３】プレート連結例９（連結金具９を使用）
【００４１】
【図３４】プレート連結例１０（連結金具１０を使用）
【００４２】
【図３５】パーティション組立例１
【００４３】
【図３６】パーティション組立例２（組立例１の連結金具を変えてレイアウトを変更した一例）
【００４４】
【図３７】パーティション組立例３
【考案を実施するための形態】
【００４５】まず、積み重ねて多層にしたダンボール表面に化粧加工を施し、さらに、その外周に同様の化粧ダンボールで製作した補強枠をはめ込んで、一体化したプレートを製造する。
この一体化されたプレートは、長方形や正方形の矩形状あるいは直角や二等辺の三角形状、またＣ字形状、Ｌ字形状など、少なくとも三つ以上の、直線もしくは曲線、あるいはそれらが組合わされた辺を有する形状から構成される。さらに、これらのプレートには前述の三つ以上の辺を有した開口部、または真円や楕円あるいはそれら円形の一部を切り出した形状の開口部を設けることもできる。
つぎに、これらのプレートを連結するため、プレートの連結方法さらには連結する目的から１０種類の金具を設定し、いずれも薄板の折り曲げや溶接加工、あるいはネジによる締結などによって一体に形成して製造する。
これらの連結金具は、少なくとも二つ以上のプレートが挟み込める構造を有しており、ここにプレートの補強枠を挟み込むことでプレート同士を連結する。さらに、プレートの補強枠に接触する連結金具の一箇所以上の面には、ゴムやウレタンなどからなるクッション材を貼り付けて、あるいは突き出し加工などによって突起を設けて使用することにより、相互のプレートをより安定した連結状態に保持することが可能となる。
本考案によるパーティションの組立ては、これらの連結金具によって、いずれもプレートを挟み込むことでプレート同士を連結して行う。また、分解は、プレートからこれらの連結金具を抜き取ることで行う。
【実施例】
【００４６】本考案による組立型簡易パーティションは、社屋の内玄関や受付け、また出入り口の目隠しやデスク周りのＯＡ機器の配線隠し、あるいは、商談コーナーや作業スペースなど、空間を間仕切るパーティションとして自由なレイアウトで組立てて使用することができる。
さらには、災害発生時の避難場所において、最低限のプライバシー保護のための間仕切りや目隠しとしての使用や、病院及び公共施設において、授乳あるいはオムツ交換など、簡易スペース確保のために組立てて使用することができる。
【符号の説明】
【００４７】［図２］    符号１  開口部の形状例１【００４８】［図８］    符号１  開口部の形状例２【００４９】［図１０］  符号１  開口部の形状例３【００５０】［図１２］  符号１  開口部の形状例４【００５１】［図２３］  符号１  連結金具本体（連結金具１）
符号２  クッション材【００５２】［図２４］  符号１  連結金具本体（連結金具１）
符号２  突起（内側に飛び出し）【００５３】［図２５］  符号１  プレート１（長方形プレート）
符号２  連結金具１【００５４】［図２６］  符号１  プレート１（長方形プレート）
符号２  連結金具２【００５５】［図２７］  符号１  プレート１（長方形プレート）
符号２  連結金具３【００５６】［図２８］  符号１  プレート１（長方形プレート）
符号２  連結金具４【００５７】［図２９］  符号１  プレート１（長方形プレート）
符号２  連結金具５【００５８】［図３０］  符号１  プレート１（長方形プレート）
符号２  連結金具６【００５９】［図３１］  符号１  プレート１（長方形プレート）
符号２  連結金具７【００６０】［図３２］  符号１  プレート１（長方形プレート）
符号２  連結金具８【００６１】［図３３］  符号１  プレート１（長方形プレート）
符号２  プレート７（二等辺三角形プレート）
符号３  連結金具９【００６２】［図３４］  符号１  プレート１（長方形プレート）
符号２  プレート６（Ｌ字形プレート）
符号３  連結金具１０【００６３】［図３５］  符号１  プレート１（長方形プレート）
符号２  連結金具１
符号３  連結金具２【００６４】［図３６］  符号１  プレート１（長方形プレート）
符号２  連結金具３【００６５】［図３７］  符号１  プレート１（長方形プレート）
符号２  プレート６（Ｌ字形プレート）
符号３  プレート７（二等辺三角形プレート）
符号４  連結金具１
符号５  連結金具２
符号６  連結金具７
符号７  連結金具８
符号８  連結金具９
符号９  連結金具１０
【図１】
0003161504.tif 000003
【図２】
0003161504.tif 000004
【図３】
0003161504.tif 000005
【図４】
0003161504.tif 000006
【図５】
0003161504.tif 000007
【図６】
0003161504.tif 000008
【図７】
0003161504.tif 000009
【図８】
0003161504.tif 000010
【図９】
0003161504.tif 000011
【図１０】
0003161504.tif 000012
【図１１】
0003161504.tif 000013
【図１２】
0003161504.tif 000014
【図１３】
0003161504.tif 000015
【図１４】
0003161504.tif 000016
【図１５】
0003161504.tif 000017
【図１６】
0003161504.tif 000018
【図１７】
0003161504.tif 000019
【図１８】
0003161504.tif 000020
【図１９】
0003161504.tif 000021
【図２０】
0003161504.tif 000022
【図２１】
0003161504.tif 000023
【図２２】
0003161504.tif 000024
【図２３】
0003161504.tif 000025
【図２４】
0003161504.tif 000026
【図２５】
0003161504.tif 000027
【図２６】
0003161504.tif 000028
【図２７】
0003161504.tif 000029
【図２８】
0003161504.tif 000030
【図２９】
0003161504.tif 000031
【図３０】
0003161504.tif 000032
【図３１】
0003161504.tif 000033
【図３２】
0003161504.tif 000034
【図３３】
0003161504.tif 000035
【図３４】
0003161504.tif 000036
【図３５】
0003161504.tif 000037
【図３６】
0003161504.tif 000038
【図３７】
0003161504.tif 000039
【手続補正書】
【提出日】平成22年3月5日(2010.3.5)
【手続補正１】
【補正対象書類名】実用新案登録請求の範囲
【補正対象項目名】全文
【補正方法】変更
【補正の内容】
【実用新案登録請求の範囲】
【請求項１】
外形及び開口部が、少なくとも三つ以上の直線や曲線あるいはそれらが組合わさった辺から構成される形状、もしくは直線あるいは曲線と円弧の辺から構成される形状で、外周の補強枠も含めて表面を化粧加工した多層ダンボール製プレートからなることを特徴とする組立型簡易パーティション。
【請求項２】
二つ以上のダンボール製プレートが連結できる断面がコ字状の構造を有し、そのプレート連結面にクッション材の貼り付けや突き出し加工による突起を設けて、相互のプレートを、より安定した状態に連結保持する連結金具からなることを特徴とする請求項１に記載の組立型簡易パーティション。
【請求項３】
ダンボール製プレートの外周を連結金具に挟み込むことで、二つ以上のダンボール製プレートを連結保持することを特徴とする請求項１または請求項２に記載の組立型簡易パーティション。
【請求項４】
外形及び開口部が、少なくとも三つ以上の直線や曲線あるいはそれらが組合わさった辺から構成される形状、もしくは直線あるいは曲線と円弧の辺から構成される形状で、外周の補強枠も含めて表面を化粧加工した多層ダンボール製プレートと二つ以上のダンボール製プレートが連結できる断面がコ字状の構造を有し、そのプレート連結面にクッション材の貼り付けや突き出し加工による突起を設けて、相互のプレートを、より安定した状態に連結保持する連結金具とを自由に組合わせて組立てられたことを特徴とする組立型簡易パーティション。